(57)【要約】【課題】電子制御機器のカバーケースに端子台の回り止めリブ等を施施すことや端子台に別体の補強ピンを設けるようなことをすることなく、接続ピンの強度不足を充分補って、接続金具への電線の接続時に電子部品実装基板に対して端子台が回転しないようにして、端子台延いては電子制御機器の大型化を抑制した。【解決手段】端子台２を構成する端子ケーシング３に電線を接続するための端子金具４を配設し、端子金具４の接続ピン４ａを電子部品実装基板１に実装するに際し、端子ケーシング３の下面に保持脚片３ａを突出形成し、保持脚片３ａを電子部品実装基板１に形成した挿し込み開口１ｂに挿着することによって端子台２における電子部品実装基板１に対する回り止め構造とした。【選択図】図３
2008097951.tif 000002
【特許請求の範囲】
【請求項１】
端子台を構成する端子ケーシングに電線を接続するための端子金具を配設し、該端子金具の接続ピンを電子部品実装基板に実装するようにした基板実装型端子台構造であって、前記端子ケーシングの下面に保持脚片を突出形成し、該保持脚片を前記電子部品実装基板に形成した挿し込み開口に挿着することによって前記端子台に前記電子部品実装基板に対する回り止め構造を施したことを特徴とする基板実装型端子台構造。
【請求項２】
前記端子ケーシングに別体の回り止めスペーサを設けて、該回り止めスペーサに前記保持脚片を形成し、前記端子ケーシングと前記電子部品実装基板との間に前記回り止めスペーサを介在させた状態で前記保持脚片を前記電子部品実装基板の挿し込み開口に挿着するように構成したことを特徴とする請求項１記載の基板実装型端子台構造。
【発明の詳細な説明】
【技術分野】
【０００１】
本発明は、端子台を構成する端子ケーシングに電線を接続するための端子金具を配設し、この端子金具を電源装置、温度調節器、デジタルパネルメータ或いはタイマー等の電子制御機器を構成する電子部品実装基板に実装するようにした基板実装型端子台構造に関するものである。
【背景技術】
【０００２】
この種の従来例えば電源装置を構成する電子制御機器ａは、図８に示すように、台座ｂ上に略箱状のカバーケースｃを組み合わせることにより構成した機器ケース体ｄを有して構成している。
【０００３】
台座ｂ上には、電子部品実装基板ｅが設置されており、電子部品実装基板ｅには、不図示のトランスやトランジスタ或いはコンデンサ等の電子部品が実装されていると共に、外側一側部には、例えば複数の端子台ｆ−１、ｆ−２が実装されている。
【０００４】
そして、図９及び図１０に示すように、端子台ｆ−１、ｆ−２は、略箱型に形成された端子ケーシングｇ内に不図示の電線を接続するための端子金具ｈを収容設置して構成している。
【０００５】
端子金具ｈには、それぞれ一対組の接続ピンｉが突出形成され、接続ピンｉを端子ケーシングｇの下方に突出させ、突出した接続ピンｉを、電子部品実装基板ｅに設けたスルーホールｊに挿通した後半田付けにより電子部品実装基板ｅに実装して構成しており、端子台ｆ−１、ｆ−２は、接続ピンｉがスルーホールｅに挿入され半田付けされることによって、電子部品実装基板ｅに保持されるようになっている(特許文献１参照)。
【特許文献１】特開平５−１２１１１１号公報
【発明の開示】
【発明が解決しようとする課題】
【０００６】
しかしながら、端子金具ｈに電線を接続する場合、接続金具ｈは、ネジｋを螺動させることによって端子ケーシングｇに対してスライドし、接続ピンｉを不図示の電線に圧接して電気的に接続することになるが、この場合、ねじｋの螺動により端子金具ｈを介して端子ケーシングｇにトルクが伝達され、このトルクによって端子ケーシングｇが電子部品実装基板ｅに対して回転してしまい、この結果、強度的に不足がちな接続ピンｉが端子ケーシングｇの回転により電子部品実装基板ｅに対して捻回され折曲されてしまい、接続ピンｉが折曲されてしまうと、当該端子台ｆは隣接する他の端子台等の実装部品に寄り掛かってしまう当の不具合が発生してしまう。
【０００７】
このような端子ケーシングｇが回転して接続ピンｉが捻回折曲されるのを防止するために、従来、例えば図１１に示すように、電子制御機器ａのカバーケースｇ側に、Ｌ字状リブｎ−１や直状のリブｎ−２等からなる回り止めリブｎを形成して、回り止めリブｎにより端子ケーシングｇを収容することによって、端子台ｆの回る止めを施していた。
【０００８】
しかし、電子制御機器の種類によって、端子台ｆの設置個数或い配置レイアウト等は異なることになって、これに適合するために、カバーケースｃの形状を複数種用意する必要があり、このために、カバーケースｃの成形金型費が嵩むことになってしまう。
【０００９】
また、端子台ｆ−１、ｆ−２を電子部品実装基板ａに対して回り止めを施すために、端子ケーシングｇの側壁に別体の補強ピン（不図示）を突出設置して、この補強ピンを電子部品実装基板ｅに接続ピンｉとは別に実装することによって、接続ピンｉの強度不足を補っているものがある。
【００１０】
しかし、このような補強ピンを電子部品実装基板ｅに実装する方式では、端子台ｆの電子部品実装基板ｅに対する実装占有面積が端子台ｆ−１、ｆ−２の外方に補強ピンがはみ出した状態で電子部品実装基板ｅに実装される分大きくなってしまい、延いては、電子制御機器ａ全体を大型化する要因となってしまう。
【００１１】
そこで、本発明はかかる従来の課題を改善するために案出されたもので、電子制御機器のカバーケースに端子台の回り止めリブ等を施すことや端子台に別体の補強ピンを設けるようなことをすることなく、接続ピンの強度不足を充分補って、接続金具への電線の接続時に電子部品実装基板に対して端子台が回転しないように構成して、端子台延いてはこれを使用する電子制御機器の大型化を抑制した基板実装型端子台構造を提供することを目的としている。
【課題を解決するための手段】
【００１２】
上記目的を達成するために、本発明に係る基板実装型端子台構造は、端子台を構成する端子ケーシングに電線を接続するための端子金具を配設し、該端子金具の接続ピンを電子部品実装基板に実装するようにした基板実装型端子台構造であって、前記端子ケーシングの下面に保持脚片を突出形成し、該保持脚片を前記電子部品実装基板に形成した挿し込み開口に挿着することによって前記端子台に前記電子部品実装基板に対する回り止め構造を施したことを特徴とするものである。
【００１３】
かかる構成により、端子台は、電子部品実装基板に対して、接続ピンと共に保持脚片を実装することによって接続ピンの補強不足を充分補って、電線の接続に際しての回り止めとして作用し、接続ピンの折曲を防止できることとなり、しかも、保持脚片が端子ケーシングの下面に接続ピンと共に突出形成されていることから、電子部品実装基板における端子台の実装占有面積を拡大することがなく、端子台延いてはこれを使用する電子制御機器の大型化を抑制することができる。
【００１４】
さらに、かかる構成により、もしユーザーが、電子部品実装基板側に挿し込み開口を形成することを好まない場合には、保持脚片を切除することによって、従来と同様な使用形態にすることができる。
【００１５】
また、本発明に係る基板実装型端子台構造は、前記端子ケーシングに別体の回り止めスペーサを設けて、該回り止めスペーサに前記保持脚片を形成し、前記端子ケーシングと前記電子部品実装基板との間に前記回り止めスペーサを介在させた状態で前記保持脚片を前記電子部品実装基板の挿し込み開口に挿着するように構成してもよい。
【００１６】
かかる構成により、別体の回り止めスペーサを端子ケーシングに設けて、回り止めスペーサ荷形成した保持脚片により端子台の回る止め構造としてことにより、端子台として従来品を使用することができることになる。
【発明の効果】
【００１７】
本発明に係る基板実装型端子台構造によれば、端子台は、電子部品実装基板に対して、接続ピンと共に保持脚片を実装することによって接続ピンの補強不足を充分補って、電線の接続に際しての回り止めとして作用し、接続ピンの折曲を防止できることとなり、しかも、保持脚片が端子ケーシングの下面に接続ピンと共に突出形成されていることから、電子部品実装基板における端子台の実装占有面積を拡大することがなく、端子台延いてはこれを使用する電子制御機器の大型化を抑制することができる。
【００１８】
更に、本発明に係る基板実装型端子台構造によれば、もしユーザーが、電子部品実装基板側に挿し込み開口を形成することを好まない場合には、保持脚片の一部又は全部を切除することによって、従来と同様な使用形態にすることができる。
【発明を実施するための最良の形態】
【００１９】
本発明の実施の形態を、図面を参照して詳述する。
【００２０】
図１は本発明に係る基板実装型端子台構造を採用した電子制御機器の要部を描画した分解斜視図、図２は図１の基板実装型端子台構造をＡ方向から描画した斜視図、図３は図１におけるＢ−Ｂ断面図である。
【００２１】
例えば電源装置を構成する電子制御機器は、図示しないが従来と同様に、台座上に略箱状のカバーケースを組み合わせることによって構成した機器ケースを有して構成している。
【００２２】
前記台座上には、図１に示すような電子部品実装基板１が設置されており、電子部品実装基板１には、不図示のトランスやトランジスタ或いはコンデンサ等の電子部品が実装されていると共に、外側一側部には、例えば複数の端子台２が実装されている。
【００２３】
端子台２は、図２に示すように、略箱型に形成された端子ケーシング３内に不図示の電線を接続するための端子金具４を収容設置して構成している。
【００２４】
端子金具４は、ネジ９の螺動により端子ケーシング３内をスライド可能に構成しており、その先端には接続ピン４ａが形成され、接続ピン４ａは図３に示すように電子部品実装基板１に形成したスルーホール１ａに挿通させた後、半田付けすることによって、電子部品実装基板１に実装されている。
【００２５】
更に、図２に示すように、端子ケーシング３における電子部品実装基板１に対向している下面の４箇所の隅角部には、保持脚片３ａがそれぞれ一体に突出形成されている。
【００２６】
一方、図１に示すように、電子部品実装基板１には、保持脚片３ａがそれぞれ挿着される４つの挿し込み開口１ｂが互いに点対象となるように穿設されている。
【００２７】
４つの挿し込み開口１ｂのうち、電子部品実装基板１の内側に形成した一対の挿し込み開口１ｂ−１、１ｂ−２は孔形状の貫通孔に形成されているが、外側に形成された一対の挿し込み開口１ｂ−３、１ｂ−４は、外方が開口するコ字状の切欠き溝形状に形成されている。
【００２８】
上記のように構成する場合、端子台２は、接続ピン４ａをスルーホール１ａに挿し込むと共に、保持脚片３ａをそれぞれ挿し込み開口１ｂに挿着し、接続ピン４ａとスルーホール１ａに半田を溶着することによって、電子部品実装基板１に実装されることになる。
【００２９】
しかる後、端子ケーシング３に形成した電線挿入孔３ｂより不図示の電線を挿入すると共に、ネジ９を螺動させることにより端子金具４を下動させて電線に圧着させ、当該電線を接続ピン４ａを介して電子部品実装基板１に電気的に接続することになる。
【００３０】
かかる構成により、端子台２は、電子部品実装基板１に対して、接続ピン４ａと共に保持脚片３ａが実装されて接続ピン４ａの補強不足を充分補って、電線の接続に際しての回り止めとして作用して、接続ピン４ａの折曲を防止できることとなり、しかも、保持脚片３ａは端子ケーシング３の下面に接続ピン４ａと共に突出形成されていることから、電子部品実装基板１における端子台２の実装占有面積を拡大することがなく、端子台２延いてはこれを使用する電子制御機器１の大型化を抑制することができる。
【００３１】
なお、電子部品基板１に形成した挿し込み開口１ｂ−１乃至１ｄは、互いに点対象に形成していることから、端子台２を１８０度回転させたとしても、取付けることができることから、誤装着を防止するために、互いに点対称とならないようにずらして形成することが考えられ、これに関連して、保持脚片３ａの同様にずらした状態で、端子ケーシング３に形成することになる。
【００３２】
また、上記のように構成する端子台構造において、電子部品実装基板１側に設けた挿し込み開口１ｂは４個形成しているが、これに限定されるものではなく、必要に応じて形成個数を選択することができ、例えば、電子部品実装基板１の外側に一対形成した挿込開口１ｂ−３、１ｂ−４を廃止して、内側に一対形成した挿し込み開口１ｂ−１、１ｂ−２のみにしてよい。
【００３３】
この場合、図４に示すように、挿し込み開口１ｂ−１、１ｂ−２を電子部品実装基板１の外側にずらして形成しておけば、端子台２に設けた４つの保持脚片３ａのうち一方における一対の保持脚片３ａ―１をそれぞれ挿し込み開口１ｂ−１、１ｂ−２に挿着すると共に、他方の保持脚片３ａ―２をそれぞれ電子部品実装基板１の外側端面に添設することによって、端子台２の回り止め構造を構成することができる。この結果、他方の保持脚片３ａ―２の廃止により、電子部品実装基板１の構造を簡略化でき、その実装面積の有効利用を図ることができると共に、電子制御機器自体の外形を小型化することにつながる。
【００３４】
更に、もしユーザーが、電子部品実装基板１に挿し込み口開口１ｂを形成することを好まない場合には、図５に示すように、保持脚片３ａの一部又は全部を不図示のニッパー等により切除すると共に、接続ピン４ａの長さ寸法を長めに予め設定することによって、従来と同様な使用形態にすることができる。もし、この場合、接続ピン４ａの長さ寸法が長過ぎる場合には、電子部品実装基板１に実装した後に、やはり接続ピン４ａの余分寸法をやはりニッパー等により切除すればよい。
【００３５】
次に、図６及び図７を用いて、本発明に係る他の実施の形態を説明する。
【００３６】
図６は、端子台を電子部品実装基板に実装する前の分解斜視図である。
【００３７】
図６において、この実施の形態においては、端子台２とは別体に構成した回り止めスペーサ６を端子台２と電子部品実装基板１との間に介装することによって、端子台２の回り止めを施したものである。
【００３８】
すなわち、回り止めスペーサ６は、平板状の基台６ａを有し、基台６ａの略中央部に端子金具４の接続ピン４ａを挿通させる一対の接続ピン挿通孔６ｂを穿設すると共に、接続ピン挿通孔６ｂを挟んで、基台６ａの上面側の４つの隅角部のやや内側に端子台保持突起６ｃを突設し、更に、基台６ａの下面側の４つの隅角部には、保持脚片６ｄを突設して構成している。
【００３９】
したがって、端子台２を電子部品実装基板１に実装する場合、先ず、接続ピン４ａを回り止めスペーサ６側の接続ピン挿通孔６ｂにそれぞれ差し込んで挿通させると共に、各端子台保持突起６ｃを端子ケーシング３の内側壁３ｃ内に挿入するように配設しておく。
【００４０】
しかる後、接続ピン４ａを電子部品実装基板１のスルーホール１ａに挿し込むと共に、保持脚片６ｄを電子部品実装基板１側の挿し込み開口１ｂにそれぞれ挿着し、接続ピン４ａとスルーホール１ａに半田を溶着することによって、端子台２は電子部品実装基板１に実装されることになる(図７参照)。
【００４１】
かかる構成により、端子台２は、端子台保持突起６ｃが端子ケーシング３の内側壁３ｃ内に挿し込まれると共に、回り止めスペーサ６側の保持脚片６ｄが電子部品実装基板１側の挿し込み開口１ｂに挿着されて、電子部品実装基板１に対して回り止めされることになって接続ピン４ａの補強不足を充分補って、電線の接続に際して接続ピン４ａの折曲を防止できることとなり、しかも、保持脚片６ｄは回り止めスペーサ６の下面に突出形成されていることから、電子部品実装基板１における端子台２の実装占有面積を拡大することがなく、端子台２延いてはこれを使用する電子制御機器１の大型化を抑制することができる。
【００４２】
更に、端子ケーシング３を別体の回り止めスペーサ６に配設して、回り止めスペーサ６に形成した保持脚片６ｄにより端子台２の回る止め構造としてことにより、端子台２として従来品を使用することができることになり、しかも、回り止めスペーサ６は簡単な構造ゆえに、従来のようなカバーケースｇの成形金型よりはるかに安価な成形金型を使用することができ、電子制御機器全体のコストアップがある程度のところで抑えることができる。
【産業上の利用可能性】
【００４３】
本発明に係る基板実装型端子台構造は、端子台が、電子部品実装基板に対して、接続ピンと共に保持脚片を実装することによって接続ピンの補強不足を充分補って、電線の接続に際しての回り止めとして作用し、接続ピンの折曲を防止できることとなり、しかも、保持脚片が端子ケーシングの下面に接続ピンと共に突出形成されていることから、電子部品実装基板における端子台２の実装占有面積を拡大することがなく、端子台延いてはこれを使用する電子制御機器の大型化を抑制することができ、しかも、もしユーザーが、電子部品実装基板側に挿し込み開口を形成することを好まない場合には、保持脚片を切除することによって、従来と同様な使用形態にすることができることから、端子台を構成する端子ケーシングに電線を接続するための端子金具を配設し、この端子金具を電源装置、温度調節器、デジタルパネルメータ或いはタイマー等の電子制御機器を構成する電子部品実装基板に実装するようにした基板実装型端子台構造等に好適である。
【図面の簡単な説明】
【００４４】
【図１】本発明に係る基板実装型端子台構造を採用した電子制御機器の要部を描画した分解斜視図である。
【図２】図１の基板実装型端子台構造をＡ方向から描画した斜視図である。
【図３】図１におけるＢ−Ｂ断面図である。
【図４】図１の基板実装型端子台構造の他の使用例を描画したＢ−Ｂ断面図である。
【図５】図１の基板実装型端子台構造の更に他の使用例を描画したＢ−Ｂ断面図である。
【図６】本発明に係る基板実装型端子構造の他の実施の形態を採用した電子制御機器の要部を描画した分解斜視図である。
【図７】図６のＣ−Ｃ断面図である。
【図８】従来における基板実装型端子構造を採用した電子制御機器の一部を切欠いて描画した斜視図である。
【図９】６における基板実装型端子構造の斜視図である。
【図１０】５のＤ−Ｄ断面図である。
【図１１】図９に示す基板実装型端子構造の支持構造を備えた電子制御機器のカバーケースの要部を描画した斜視図である。
【符号の説明】
【００４５】
１                電子部品実装基板
２                端子台
３                端子ケーシング
３ａ              保持脚片
４                端子金具
４ａ              接続ピン
６                回り止めスペーサ
６ｃ              端子台保持突起
６ｄ              保持脚片
【図１】
2008097951.tif 000003
【図２】
2008097951.tif 000004
【図３】
2008097951.tif 000005
【図４】
2008097951.tif 000006
【図５】
2008097951.tif 000007
【図６】
2008097951.tif 000008
【図７】
2008097951.tif 000009
【図８】
2008097951.tif 000010
【図９】
2008097951.tif 000011
【図１０】
2008097951.tif 000012
【図１１】
2008097951.tif 000013